(57)【要約】  材質が異なる被清掃面に対してそれぞれ高い清掃能力を発揮する電気掃除機の回転ブラシおよびそれを備えた電気掃除機を提供すること。  電気掃除機の吸込口体に回転可能に取り付けられる回転ブラシであって、  表面に複数の溝部を有する筒状体と、各溝部に取り付けられた複数のブラシ材とを有し、  前記ブラシ材は、前記筒状体の前記溝部に嵌め込まれる帯板状の基部と、前記基部の一面に長手方向に沿って２列で植え付けられて前記溝部から外部へ突出する硬質毛部および軟質毛部とを有し、  前記ブラシ材のうちの少なくとも２つのブラシ材において、一方のブラシ材における前記回転ブラシの軸心を中心とする一周方向の前記硬質毛部および前記軟質毛部の並び順と、他方のブラシ材における前記一周方向の前記硬質毛部および前記軟質毛部の並び順とが逆向きであることを特徴とする電気掃除機の回転ブラシ。
2019026307.tif 000002
【特許請求の範囲】
【請求項１】
電気掃除機の吸込口体に回転可能に取り付けられる回転ブラシであって、
表面に複数の溝部を有する筒状体と、各溝部に取り付けられた複数のブラシ材とを有し、
前記ブラシ材は、前記筒状体の前記溝部に嵌め込まれる帯板状の基部と、前記基部の一面に長手方向に沿って２列で植え付けられて前記溝部から外部へ突出する硬質毛部および軟質毛部とを有し、
前記ブラシ材のうちの少なくとも２つのブラシ材において、一方のブラシ材における前記回転ブラシの軸心を中心とする一周方向の前記硬質毛部および前記軟質毛部の並び順と、他方のブラシ材における前記一周方向の前記硬質毛部および前記軟質毛部の並び順とが逆向きであることを特徴とする電気掃除機の回転ブラシ。
【請求項２】
前記２つのブラシ材が、隣接した２つの前記溝部に取り付けられることにより隣接する請求項１に記載の回転ブラシ。
【請求項３】
前記隣接した２つのブラシ材のうちの一方のブラシ材に隣接する前記溝部に取り付けられるブレードをさらに備える請求項２に記載の回転ブラシ。
【請求項４】
前記隣接した２つのブラシ材の間のピッチが、前記一方のブラシ材と前記ブレードとの間のピッチよりも狭い請求項３に記載の回転ブラシ。
【請求項５】
前記一対のブラシ材の間の前記溝部に取り付けられる軟質毛部を有する単毛ブラシ材をさらに備えた請求項１に記載の回転ブラシ。
【請求項６】
同じ素材で構成された前記２つのブラシ材が隣接した前記２つの溝部に正逆方向に挿入されている請求項１〜５のいずれか１つに記載の回転ブラシ。
【請求項７】
請求項１〜６のいずれか１つに記載の回転ブラシが回転可能に取り付けられた吸込口体と、前記吸込口体に接続された掃除機本体とを備えた電気掃除機。
【発明の詳細な説明】
【技術分野】
【０００１】
本発明は、電気掃除機の回転ブラシおよびそれを備えた電気掃除機に関する。
【背景技術】
【０００２】
従来の電気掃除機の吸込口体として、特許文献１には、掻出部材としてのネット部材およびブレードが螺旋状に外周面に設けられた回転ブラシを備えたものが開示されている。【０００３】
この回転ブラシにおいて、ネット部材は、回転ブラシの軸心方向と直交する方向に延びる複数の第１の繊維と、前記軸心方向と平行な方向に延びる複数の第２の繊維とを有し、基端側（根元側）の複数の第１と第２の繊維は交差部分で結合し、先端側の複数の第１の繊維は複数の第２の繊維に形成された切込部によって相互に分離している。【０００４】
このように構成された特許文献１の回転ブラシによれば、ネット部における先端側の腰が基端側よりも相対的に弱くなるため、絨毯やフローリングといった材質が異なる被清掃面に応じてネット部材の接触負荷を変えることができるとされている。
【先行技術文献】
【特許文献】
【０００５】
【特許文献１】特開２００５−０６６０３４号公報
【発明の概要】
【発明が解決しようとする課題】
【０００６】
特許文献１の回転ブラシでは掻出部材としてネット部材が用いられているが、ネット部材を有さない一般的な回転ブラシでは、多数のブラシ毛を基材に植毛してなるブラシ材を掻出部材として有している。【０００７】
このような一般的な回転ブラシのブラシ材では、フローリング床に対する表面清掃と、絨毯への掻き出し清掃に対して、１本の回転ブラシ仕様ではフローリング床と絨毯のどちらかに清掃効果が片寄ってしまい、清掃効率が低下する問題がある。【０００８】
本発明は、このような課題に鑑みなされたものであり、材質が異なる被清掃面に対してそれぞれ高い清掃能力を発揮する電気掃除機の回転ブラシおよびそれを備えた電気掃除機を提供することを目的とする。
【課題を解決するための手段】
【０００９】
かくして、本発明によれば、電気掃除機の吸込口体に回転可能に取り付けられる回転ブラシであって、
表面に複数の溝部を有する筒状体と、各溝部に取り付けられた複数のブラシ材とを有し、
前記ブラシ材は、前記筒状体の前記溝部に嵌め込まれる帯板状の基部と、前記基部の一面に長手方向に沿って２列で植え付けられて前記溝部から外部へ突出する硬質毛部および軟質毛部とを有し、
前記ブラシ材のうちの少なくとも２つのブラシ材において、一方のブラシ材における前記回転ブラシの軸心を中心とする一周方向の前記硬質毛部および前記軟質毛部の並び順と、他方のブラシ材における前記一周方向の前記硬質毛部および前記軟質毛部の並び順とが逆向きである電気掃除機の回転ブラシが提供される。【００１０】
また、本発明によれば、前記回転ブラシが回転可能に取り付けられた吸込口体と、前記吸込口体に接続された掃除機本体とを備えた電気掃除機が提供される。
【発明の効果】
【００１１】
本発明の電気掃除機の回転ブラシは、少なくとも２つのブラシ材において、一方のブラシ材における一周方向の硬質毛部および軟質毛部の並び順と、他方のブラシ材における一周方向の硬質毛部および軟質毛部の並び順とが逆向きであるように構成されている。
つまり、同一構成の少なくとも２つのブラシ材を隣接させて配置した場合、各ブラシ材の軟質毛部の回転方向両側を硬質毛部によって挟み込んだブラシ構成とすることができる。【００１２】
この構成により、硬質毛部を軟質毛部よりも回転方向側の端部に配置させることができるため、硬い毛領域によって絨毯の繊維中のダストを効率的に掻き出して清掃することができる。
また、硬質毛部によって回転方向両側を挟み込まれた軟質毛部によって、高密度の軟らかい毛領域を広い面積で構成することができるため、フローリング表面の清掃効率を向上させることができる。【００１３】
このように、本発明の回転ブラシによれば、絨毯やフローリングといった材質の異なる被清掃面に対応して効率よく清掃することができる。
さらに、回転ブラシにおけるブラシ材以外のスペースを広いピッチで構成することができるため、この広いスペースにて比較的大きなダスト（例えば、塵埃の塊、菓子の欠片等）を吸込口の方へ効率よく送ることができる。
【図面の簡単な説明】
【００１４】
【図１】本発明の電気掃除機の実施形態１を示す外観斜視図である。
【図２】図１に示す電気掃除機の吸込口体の上面図である。
【図３】図２に示す吸込口体の底面図である。
【図４】図２に示す吸込口体の側面図である。
【図５】図３に示す吸込口体のＡ−Ａ矢視断面図である。
【図６】図３に示す吸込口体のＢ−Ｂ矢視断面図である。
【図７】図２に示す吸込口体の分解斜視図である。
【図８】実施形態１における筒状体の軸心方向から視た側面図である。
【図９】実施形態１における回転ブラシ本体の軸心方向から視た側面図である。
【図１０】実施形態２における筒状体の軸心方向から視た側面図である。
【図１１】実施形態２における回転ブラシ本体の軸心方向から視た側面図である。
【図１２】実施形態３における筒状体の軸心方向から視た側面図である。
【図１３】実施形態３における回転ブラシ本体の軸心方向から視た側面図である。
【図１４】実施形態４における筒状体の軸心方向から視た側面図である。
【図１５】実施形態４における回転ブラシ本体の軸心方向から視た側面図である。
【発明を実施するための形態】
【００１５】
（実施形態１）
＜電気掃除機の全体構成＞
図１は本発明の電気掃除機の実施形態１を示す外観斜視図である。
図１に示すように、本発明の電気掃除機１は、電動送風機を内蔵する駆動装置１０Ａおよびこれに着脱可能に装着されるダストカップユニット１０Ｂを有する掃除機本体１０と、駆動装置１０Ａに離脱可能に装着されるバッテリー２０と、モータにて回転駆動する回転ブラシ４４（図３参照）を有する吸込口体４０と、吸込口体４０と掃除機本体２とを気密的に接続する延長管３０とを備える。
また、この電気掃除機１は、バッテリー２０の電力を吸込口体４０内に設けられたモータへ供給する図示しない電気配線部を備えている。
【００１６】
掃除機本体２において、駆動装置１０Ａは、使用者が手で握るハンドル１０Ａａと、ハンドル１０Ａａに設けられ起動・停止スイッチを有する操作部１０Ａｂと、延長管３０の基端部を受け入れて離脱可能に接続する接続部１０Ａｃとを備える。
【００１７】
延長管３０の先端部には、吸込口体４０の接続パイプ部４２を受け入れて離脱可能に接続する接続部３０ａが設けられている。
吸込口体４０は、吸込口本体４１と、延長管３０の接続部３０ａが離脱可能に差し込まれる接続パイプ部４２と、吸込口本体４１に対して接続パイプ部４２を約９０度の角度範囲で前後に揺動させ、かつ、約１８０度の角度範囲で左右に捩じることが可能な関節部４３とを備える。
【００１８】
このような構成された電気掃除機１では、操作部１０Ａｂの起動スイッチが投入されると、電動送風機（図示省略）および回転ブラシ用モータ４５（図６参照）が駆動する。そして、ダストを含む空気が、吸込口体４０の回転する回転ブラシ４４を有する吸込口４１ａ1から延長管３０を通ってダストカップユニット１０Ｂ内に流入し、ダストがダストカップユニット１０Ｂにて捕捉されると共に、浄化された空気は駆動装置１０Ａの側面の図示しない排気口から排気される。
【００１９】
〈吸込口体の構成〉
図２は図１に示す電気掃除機の吸込口体の上面図であり、図３は図２に示す吸込口体の底面図であり、図４は図２に示す吸込口体の側面図である。また、図５は図３に示す吸込口体のＡ−Ａ矢視断面図であり、図６は図３に示す吸込口体のＢ−Ｂ矢視断面図であり、図７は図２に示す吸込口体の分解斜視図である。
【００２０】
これらの図に示すように、吸込口体４０は、底板部４１ａと、底板部４１ａに対面する天板部４１ｂと、進行方向（図２の矢印Ｘ方向）の前後に設けられた前板部４１ｃおよび後板部４１ｄと、天板部４１ｂの上から見て進行方向の左右に設けられた左側板部４１ｅおよび右側板部４１ｆを備える。
【００２１】
吸込口体４０は、図３に示すように、底板部４１ａに設けられ左右方向（矢印Ａ１方向）に伸びる吸込口４１ａ1と、吸込口４１ａ1の後方に前記関節部４３を介して接続された前記接続パイプ部４２と、吸込口４１ａ1に左右方向に伸びる軸心周りに回転可能に設けられた前記回転ブラシ４４と、吸込口４１ａ1と接続パイプ部４２とを接続する吸引流路４１ａ2（図５）と、回転ブラシ４４を駆動する前記回転ブラシ用モータ４５（図６）と、回転ブラシ４４の図３における左端部を覆うブラシカバー４１ｇと、底板部４１ａに設けられた持上げ検知スイッチ４７および車輪４８とを備える。
【００２２】
図７に示すように、吸込口体４０の左側板部４１ｅおよび右側板部４１ｆの内面には、回転ブラシ４４の両端部の後述する第１軸受部材４４ｂおよび第２軸受部材４４ｃを受ける第１受部４１ｅ1および第２受部４１ｆ1が設けられている。
また、図６に示すように、回転ブラシ用モータ４５の出力軸４５ａに固定されたタイミングプーリー４５ｂと、回転ブラシ４４に付設されたタイミングプーリー４４ａ211とは、タイミングベルト４６によって結合されている。なお、回転ブラシ４４について詳しくは後述する。
【００２３】
したがって、前述のように、操作部１０Ａｂの起動スイッチが投入され、床面の清掃作業が開始されると、回転ブラシ用モータ４５により駆動される回転ブラシ４４によって床面のダストが掃き寄せられ、ダストは吸込口４１ａ1から吸引流路４１ａ2と接続パイプ４２を通ってダストカップユニット１０Ｂ（図１）の方へ搬送される。
【００２４】
持上げ検知スイッチ４７は、車輪を有する揺動レバー部と、揺動レバー部を揺動可能に支持するスイッチ本体と、揺動レバー部を下方へ付勢するねじりコイルばねとを有し、スイッチ本体が底板部４１ａに収納された回転ブラシ用モータ駆動回路基板に接続され、揺動レバー部の車輪が底板部４１ａから外部下方へ露出している。
この構成によれば、吸込口体４０が持ち上げられて床面から離れると、持上げ検知スイッチ４７が働いて回転ブラシ用モータ４５の駆動を強制的に停止させることができる。
【００２５】
図３および図７に示すように、ブラシカバー４１ｇは、吸込口本体４１の底板部４１ａと後板部４１ｄとの間を底板部４１aに対して鋭角を有してつなぐ傾斜部４１ｇ1と、傾斜部４１ｇ1の内部に設けられ吸込口本体４１に対してブラシカバー４１ｇをロックするロック機構４１ｇ2と、傾斜部４１ｇ1の外面に設けられロック機構４１ｇ2を開閉操作するスライド式の手動開閉レバー４１ｇ3と、傾斜部４１ｇ1と反対側の端部に設けられた爪部４１ｇ4とを有する。
【００２６】
ブラシカバー４１ｇを底板部４１ａに固定する際は、爪部４１ｇ4を吸込口４１ａ1の溝（図示せず）に掛けてブラシカバー４１ｇを底板部４１ａに取り付け、手動開閉レバー４１ｇ3を「閉」の方向に操作することにより行うことができる。ブラシカバー４１ｇによって回転ブラシ４４は安定して回転することができる。
また、ブラシカバー部材４１ｇを底板部４１ａから取り外す際は、手動開閉レバー４１ｇ3を「開」の方向に操作してブラシカバー４１ｇを持ち上げることにより行うことができる。
【００２７】
＜回転ブラシの構成＞
図８は実施形態１における筒状体の軸心方向から視た側面図であり、図９は実施形態１における回転ブラシ本体の軸心方向から視た側面図である。
図７〜図９に示すように、回転ブラシ４４は、回転ブラシ本体４４ａと、回転ブラシ本体４４ａの両端部に離脱可能に取り付けられる第１軸受部材４４ｂおよび第２軸受部材４４ｃとを有する。
【００２８】
回転ブラシ本体４４ａは、表面に複数の螺旋状の第１〜第４溝部４４ａ11〜４４ａ14を有する樹脂製の筒状体４４ａ1と、第１〜第３溝部４４ａ11〜４４ａ13に放射状に取り付けられた第１ブラシ材４４ａｘ1、第２ブラシ材４４ａｘ2およびブレード４４ａｙと、筒状体４４ａ1の一端部および他端部に嵌入される第１支軸アセンブリ４４ａ2および第２支軸アセンブリ４４ａ3とを備える。
【００２９】
図８に示すように、筒状体４４ａ1は、円筒部材の外周面にリブを螺旋状に形成することにより、開口部よりも奥部が広い蟻溝形の８つの第１〜第４溝部４４ａ11〜４４ａ14が設けられている。実施形態１の場合、等ピッチ（中心角度θ1〜θ4＝４５°）で第１溝部４４ａ11、第２溝部４４ａ12、第３溝部４４ａ13、第４溝部４４ａ14、第１溝部４４ａ11、第２溝部４４ａ12、第３溝部４４ａ13および第４溝部４４ａ14が一周方向（矢印Ａ方向）にこの順で設けられている。換言すると、筒状体４４ａ1の軸心を中心として、第１〜第４溝部４４ａ11〜４４ａ14が点対称に設けられている。
【００３０】
図９に示すように、第１ブラシ材４４ａｘ1は、筒状体４４ａ1の第１溝部４４ａ11に嵌め込まれる帯板状の基部４４ａｘ13と、基部４４ａｘ13の一面に長手方向に沿って２列で植え付けられて第１溝部４４ａ11から外部へ突出する硬質毛部４４ａｘ12および軟質毛部４４ａｘ12とを有する。
【００３１】
第２ブラシ材４４ａｘ2は、筒状体４４ａ1の第２溝部４４ａ12に嵌め込まれる帯板状の基部４４ａｘ23と、基部４４ａｘ23の一面に長手方向に沿って２列で植え付けられて第２溝部４４ａ12から外部へ突出する硬質毛部４４ａｘ21および軟質毛部４４ａｘ22とを有する。
【００３２】
第１ブラシ材４４ａｘ1と第２ブラシ材４４ａｘ2とは共通化されている。すなわち、第１ブラシ材４４ａｘ1を構成する基部４４ａｘ13、硬質毛部４４ａｘ12および軟質毛部４４ａｘ12と、第２ブラシ材４４ａｘ2を構成する基部４４ａｘ23、硬質毛部４４ａｘ21および軟質毛部４４ａｘ22とは同じ素材で構成されている。そして、回転ブラシ本体４４ａを組み立てる際に、第２溝部４４ａ12に挿入する第２ブラシ材４４ａｘ2の向きを、第１溝部４４ａ11に挿入する第１ブラシ材４４ａｘ1の向きと逆向きにしている。これにより、第１ブラシ材４４ａｘ1における一周方向（矢印Ａ方向）の硬質毛部４４ａｘ11および軟質毛部４４ａｘ12の並び順と、第２ブラシ材４４ａｘ2における一周方向（矢印Ａ方向）の硬質毛部４４ａｘ21および軟質毛部４４ａｘ22の並び順とが逆向きとなっている。
【００３３】
このように第１ブラシ材４４ａｘ1と第２ブラシ材４４ａｘ2を隣接させることにより、第１および第２ブラシ材４４ａｘ1、４４ａｘ2における各硬質毛部４４ａｘ11、４４ａｘ21によって各軟質毛部４４ａｘ12、４４ａｘ22を周方向の両側から挟み込んだブラシ構成とすることができる。なお、第１ブラシ材４４ａｘ1を構成する基部４４ａｘ13、硬質毛部４４ａｘ12および軟質毛部４４ａｘ12と、第２ブラシ材４４ａｘ2を構成する基部４４ａｘ23、硬質毛部４４ａｘ21および軟質毛部４４ａｘ22とは、必ずしも同じ素材で構成されていなくてもよいが、同じ素材で構成すれば部品の種類を低減できるため好ましい。
【００３４】
これにより、軟らかく広がりやすい２つの軟質毛部４４ａｘ12、４４ａｘ22を両側から硬質毛部４４ａｘ11、４４ａｘ21によって支えることができ、これによりフローリング床の表面清掃に適した２つの軟質毛部４４ａｘ12、４４ａｘ22の領域を高密度に広い面積で形成することができる。なお、図９において、矢印Ｂは回転ブラシ本体４４ａの回転方向を示している。
【００３５】
また、このブラシ構成によれば、絨毯の繊維中のダストを掻き出すのに適した硬質毛部４４ａｘ11、４４ａｘ21が周方向の両側に配置されるため、絨毯の清掃能力向上に好都合となっている。
【００３６】
それに加え、ブレード４４ａｙによって絨毯を叩いて繊維中のダストを浮き上がらせることができるため、硬質毛部４４ａｘ11、４４ａｘ21による掻き出しとの相乗効果を得ることができる。
また、回転ブラシ本体４４ａの第４溝部４４ａ14には部材が取り付けられないため、第４溝部４４ａ14の外側は比較的大きなダストを吸込口４１ａ1（図７）へ送るための広いスペースとなっている。
【００３７】
硬質毛部４４ａｘ11、４４ａｘ21の材料としては、比較的腰の強い合成繊維を用いることができる。
また、軟質毛部４４ａｘ12、４４ａｘ22の材料としては、比較的腰の弱い合成繊維を用いることができる。
【００３８】
ブレード４４ａｙは、例えば、ゴムといった軟質材料にて形成されており、第３溝部４４ａ13に嵌め込まれる帯板状の基部が一体成形されている。
【００３９】
図７に示すように、第１支軸アセンブリ４４ａ2は、筒状体４４ａ1の一端部に嵌着された円柱状で樹脂製のキャップ部材に金属製の図示しない支軸が抜け止め一体成型されたものであり、キャップ部材には前記タイミングプーリー４４ａ211が設けられている。
そして、第１支軸アセンブリ４４ａ2の前記支軸に前記第１軸受部材４４ｂが回転可能に取り付けられている。
【００４０】
第２支軸アセンブリ４４ａ3は、筒状体４４ａ1の他端部に嵌着された円柱状で樹脂製のキャップ部材に金属製の図示しない支軸が抜け止め一体成型されたものである。
そして、第２支軸アセンブリ４４ａ3の前記支軸に前記第２軸受部材４４ｃが回転可能に取り付けられている。
【００４１】
（実施形態２）
図１０は実施形態２における筒状体の軸心方向から視た側面図であり、図１１は実施形態２における回転ブラシ本体の軸心方向から視た側面図である。なお、図１０と図１１において、図８と図９中の要素と同様の要素には同一の符号を付している。
実施形態２は、回転ブラシ本体の構成が実施形態１とは異なる以外は、実施形態１と同様である。
以下、実施形態２における実施形態１とは異なる点を主に説明する。
【００４２】
図１０と図１１に示すように、実施形態２の回転ブラシ本体１４４ａは、実施形態１と同様に、二対の第１および第２ブラシ材４４ａｘ1、４４ａｘ2と、一対のブレード４４ａｙを有しているが、隣接した第１および第２ブラシ材４４ａｘ1、４４ａｘ2の間のピッチ（中心角度θ2）が、第２ブラシ材４４ａｘ2と一周方向（矢印Ａ方向）側で隣接するブレード４４ａｙとの間のピッチ（中心角度θ3）よりも狭くなっている。
【００４３】
すなわち、筒状体１４４ａ1における第１および第２溝部１４４ａ11、１４４ａ12の間のピッチ（中心角度θ2）が、第２溝部１４４ａ12と一周方向（矢印Ａ方向）側で隣接する第３溝部４４ａ13との間のピッチ（中心角度θ3）よりも狭くなっている。この場合、中心角度θ2は約４０°に設定されている。
なお、実施形態２の場合、第４および第１溝部４４ａ14、１４４ａ11の間のピッチ（中心角度θ1）も同様に狭くなっている。
【００４４】
この構成によれば、一対の第１および第２ブラシ材４４ａｘ1、４４ａｘ2およびブレード４４ａｙを等ピッチで配置する場合よりも、一対の第１および第２ブラシ材４４ａｘ1、４４ａｘ2の各軟質毛部４４ａｘ12、４４ａｘ22をより高密度で隣接させることができるため、フローリング床に対する清掃能力をより向上させることができる。
【００４５】
（実施形態３）
図１２は実施形態３における筒状体の軸心方向から視た側面図であり、図１３は実施形態３における回転ブラシ本体の軸心方向から視た側面図である。なお、図１２と図１３において、図８と図９中の要素と同様の要素には同一の符号を付している。
実施形態３は、回転ブラシ本体の構成が実施形態１とは異なる以外は、実施形態１と同様である。
以下、実施形態３における実施形態１とは異なる点を主に説明する。
【００４６】
図１２と図１３に示すように、実施形態３の回転ブラシ本体２４４ａは、４対の第１および第２ブラシ材４４ａｘ1、４４ａｘ2を有し、１対のブレードは省略されている。また、各対の第１および第２ブラシ材４４ａｘ1、４４ａｘ2は、中心角度９０°のピッチで近接して配置されている。すなわち、筒状体２４４ａ1において、４対の第１および第２溝部２４４ａ11、２４４ａ12が中心角度９０°のピッチで配置されている。なお、この場合、各対の第１および第２溝部２４４ａ11、２４４ａ12のピッチ（中心角度α）は約３０°に設定されている。
【００４７】
この構成によれば、一対の第１および第２ブラシ材４４ａｘ1、４４ａｘ2の軟質毛部４４ａｘ12、４４ａｘ22の回転方向両側を硬質毛部４４ａｘ11、４４ａｘ21によって挟み込んだブラシ構成が４対設けられているため、絨毯とフローリング表面の両方の清掃効率をより向上させることができる。
【００４８】
なお、図示しないが、一対の第１および第２ブラシ材４４ａｘ1、４４ａｘ2を中心角度１２０°のピッチで３対設けてもよく、この場合、一方の第１および第２ブラシ材４４ａｘ1、４４ａｘ2とこれに隣接する他方の第１および第２ブラシ材４４ａｘ1、４４ａｘ2との間のスペースが広くなるため、このスペースにて比較的大きなダストを吸込口へ送りやすくなる。
【００４９】
（実施形態４）
図１４は実施形態４における筒状体の軸心方向から視た側面図であり、図１５は実施形態４における回転ブラシ本体の軸心方向から視た側面図である。なお、図１４と図１５において、図８と図９中の要素と同様の要素には同一の符号を付している。
実施形態４は、回転ブラシ本体の構成が実施形態１とは異なる以外は、実施形態１と同様である。
以下、実施形態４における実施形態１とは異なる点を主に説明する。
【００５０】
図１４と図１５に示すように、実施形態４の回転ブラシ本体３４４ａは、実施形態１と同様に、２対の第１および第２ブラシ材４４ａｘ1、４４ａｘ2と、１対のブレード４４ａｙを有し、さらに、各対の第１および第２ブラシ材４４ａｘ1、４４ａｘ2の間の溝部に取り付けられる軟質毛部４４ａ32を有する単毛ブラシ材４４ａｘ3をさらに備えている。
【００５１】
この場合、筒状体３４４ａ1は、軸心を中心として第１〜第４溝部３４４ａ11〜３４４ａ14が点対称に設けられており、第１と第２溝部３４４ａ11、３４４ａ12の間のピッチ（中心角度α2）、第２と第３溝部３４４ａ12、３４４ａ13の間のピッチ（中心角度α3）および第３と第４溝部３４４ａ13、３４４ａ14の間のピッチ（中心角度α4）は約４０°に設定され、第４と第１溝部３４４ａ14、３４４ａ11の間のピッチ（中心角度α1）は約６０°に設定されている。
【００５２】
そして、各第１溝部３４４ａ11に第１ブラシ材４４ａｘ1が取り付けられ、各第２溝部３４４ａ12に単毛ブラシ材４４ａｘ3が取り付けられ、各第３溝部３４４ａ13に第２ブラシ材４４ａｘ2が取り付けられ、各第４溝部３４４ａ14にブレード４４ａｙが取り付けられている。
この構成によれば、回転方向両側の硬質毛部４４ａｘ11、４４ａｘ21にて挟まれた３つの軟質毛部４４ａｘ12、４４ａｘ32、４４ａｘ22の領域が拡大するため、絨毯への効率的な清掃能力を維持しながらフローリング床の表面清掃を強化することができる。
【００５３】
（他の実施形態）
実施形態１〜４では、第１および第２ブラシ材が複数対設けられた場合を例示したが、第１および第２ブラシ材は１対でもよい。この場合、１対の第１および第２ブラシ材の螺旋ピッチを図７で示した約９０°よりも大きく、例えば約１８０°にしてもよい。
【００５４】
（まとめ）
本発明の電気掃除機の回転ブラシは、電気掃除機の吸込口体に回転可能に取り付けられる回転ブラシであって、
表面に複数の溝部を有する筒状体と、各溝部に取り付けられた複数のブラシ材とを有し、
前記ブラシ材は、前記筒状体の前記溝部に嵌め込まれる帯板状の基部と、前記基部の一面に長手方向に沿って２列で植え付けられて前記溝部から外部へ突出する硬質毛部および軟質毛部とを有し、
前記ブラシ材のうちの少なくとも２つのブラシ材において、一方のブラシ材における前記回転ブラシの軸心を中心とする一周方向の前記硬質毛部および前記軟質毛部の並び順と、他方のブラシ材における前記一周方向の前記硬質毛部および前記軟質毛部の並び順とが逆向きである。
【００５５】
本発明の電気掃除機の回転ブラシは、次のように構成されてもよく、それらが適宜組み合わされてもよい。
（１）前記２つのブラシ材が、隣接した２つの前記溝部に取り付けられることにより隣接してもよい。
この構成によれば、各ブラシ材の軟質毛部の回転方向両側を硬質毛部によって挟み込んだブラシ構成となる。この結果、硬質毛部によって絨毯の繊維中のダストを効率的に掻き出して清掃することができ、かつ軟質毛部によってフローリング表面の清掃効率を向上させることができる。
【００５６】
（２）前記隣接した２つのブラシ材のうちの一方のブラシ材に隣接する前記溝部に取り付けられるブレードをさらに備えてもよい。
この構成によれば、ブレードによる絨毯への「叩き出し作用」が得られるため、ブラシ材の硬質毛部による絨毯への「掻き出し作用」との相乗効果により、絨毯の清掃効率がより向上する。
【００５７】
（３）前記隣接した２つのブラシ材の間のピッチが、前記一方のブラシ材と前記ブレードとの間のピッチよりも狭くてもよい。
この構成によれば、２つのブラシ材およびブレードを等ピッチで配置する場合よりも、２つのブラシ材の軟質毛部をより高密度で隣接させることができるため、フローリング床に対する表面清掃をより効率化することができる。
【００５８】
（４）前記筒状体は、隣接した複数対の溝部を有し、
前記複数のブラシ材が前記複数対の溝部に取り付けられることにより複数対のブラシ材が構成され、
各対のブラシ材において、一方のブラシ材の前記一周方向の前記硬質毛部および前記軟質毛部の並び順と、他方のブラシ材における前記一周方向の前記硬質毛部および前記軟質毛部の並び順とが逆向きであってもよい。
この構成によれば、一対のブラシ材の軟質毛部の回転方向両側を硬質毛部によって挟み込んだブラシ構成を複数ペア設けることができるため、絨毯とフローリング表面の両方の清掃効率をより向上させることができる。
【００５９】
（５）前記一対のブラシ材の間の前記溝部に取り付けられる軟質毛部を有する単毛ブラシ材をさらに備えてもよい。
この構成によれば、回転方向両側の硬質毛部にて挟まれた軟質毛部の領域をより広くすることができるため、絨毯への効率的な清掃能力を維持しながらフローリング床の表面清掃を強化することができる。
（６）同じ素材で構成された前記２つのブラシ材が隣接した前記２つの溝部に正逆方向に挿入されてもよい。
この構成によれば、隣接して配置する２つのブラシ材を共通化することができ、部品の種類を低減することができる。
【００６０】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６１】
１  電気掃除機
１０  掃除機本体
４０  吸込口体
４１ａ1  吸込口
４４  回転ブラシ
４４ａ1、１４４ａ1、２４４ａ1、３４４ａ1  筒状体
４４ａ11、１４４ａ11、２４４ａ11、３４４ａ11  第１溝部
４４ａ12、１４４ａ12、２４４ａ12、３４４ａ12  第２溝部
４４ａ13、３４４ａ13  第３溝部
４４ａ14、３４４ａ14  第４溝部
４４ａｘ1  第１ブラシ材
４４ａｘ11、４４ａｘ21  硬質毛部
４４ａｘ12、４４ａｘ22、４４ａｘ32  軟質毛部
４４ａｘ13、４４ａｘ23  基部
４４ａｘ2  第２ブラシ材
４４ａｘ3  単毛ブラシ材
４４ａｙ  ブレード
【図１】
2019026307.tif 000003
【図２】
2019026307.tif 000004
【図３】
2019026307.tif 000005
【図４】
2019026307.tif 000006
【図５】
2019026307.tif 000007
【図６】
2019026307.tif 000008
【図７】
2019026307.tif 000009
【図８】
2019026307.tif 000010
【図９】
2019026307.tif 000011
【図１０】
2019026307.tif 000012
【図１１】
2019026307.tif 000013
【図１２】
2019026307.tif 000014
【図１３】
2019026307.tif 000015
【図１４】
2019026307.tif 000016
【図１５】
2019026307.tif 000017
【国際調査報告】
2019026307.tif 000018
2019026307.tif 000019
2019026307.tif 000020